(57)【要約】【課題】本発明は、ＤＣ−ＤＣコンバータおよびこれを用いた有機電界発光表示装置装置に関するものである。【解決手段】本発明の一実施形態にかかるＤＣ−ＤＣコンバータは、パルス幅変調（ＰＷＭ）信号に応答してオンオフされる複数のスイッチのスイッチング動作により、入力電圧を第１電圧に変換して出力するスイッチングモジュールと、前記第１電圧を受ける負荷に供給される駆動電流を感知するセンシング部と、前記ＰＷＭ信号を生成して前記スイッチングモジュールを制御する制御モジュールとを含む。前記制御モジュールは、前記センシング部の感知結果に基づき、前記スイッチングモジュールのターンオン抵抗値を適応的に制御するように構成される。本発明によれば、負荷条件に応じて適応的に動作し、最適な効率を有するＤＣ−ＤＣコンバータおよび有機電界発光表示装置を提供することができる。【選択図】図１
2014090654.tif 000002
【特許請求の範囲】
【請求項１】
パルス幅変調（ＰＷＭ）信号に応答してオンオフされる複数のスイッチのスイッチング動作により、入力電圧を第１電圧に変換して出力するスイッチングモジュールと、
前記第１電圧を受ける負荷に供給される駆動電流を感知するセンシング部と、
前記ＰＷＭ信号を生成して前記スイッチングモジュールを制御する制御モジュールとを含み、
前記制御モジュールは、
前記センシング部の感知結果に基づき、前記スイッチングモジュールのターンオン抵抗値を適応的に制御するように構成されたことを特徴とするＤＣ−ＤＣコンバータ。
【請求項２】
前記スイッチングモジュールは、
前記入力電圧が印加される入力ノードと第１ノードとの間に位置するインダクタと、前記第１ノードと接地との間に位置し、電流経路を形成または遮断する第１スイッチング部と、前記第１ノードと第２ノードとの間に位置し、電流経路を形成または遮断する第２スイッチング部とを含み、
前記センシング部は、
前記第２ノードと出力ノードとの間に位置し、前記駆動電流を感知し、
前記制御モジュールは、
前記センシング部の感知結果に基づき、前記第１スイッチング部および前記第２スイッチング部の少なくとも１つのターンオン抵抗値を制御することを特徴とする請求項１に記載のＤＣ−ＤＣコンバータ。
【請求項３】
前記制御モジュールは、
前記駆動電流が増加すると、前記第１スイッチング部および前記第２スイッチング部の少なくとも１つのターンオン抵抗値を減少させることを特徴とする請求項２に記載のＤＣ−ＤＣコンバータ。
【請求項４】
前記第１スイッチング部および前記第２スイッチング部の少なくとも１つは、並列連結された複数のスイッチを含むことを特徴とする請求項２に記載のＤＣ−ＤＣコンバータ。
【請求項５】
前記制御モジュールは、
前記感知結果に基づき、前記複数のスイッチのうちターンオンされるスイッチの個数を制御することを特徴とする請求項４に記載のＤＣ−ＤＣコンバータ。
【請求項６】
前記第１スイッチング部は、並列連結された複数のＮＭＯＳトランジスタを含み、
前記第２スイッチング部は、並列連結された複数のＰＭＯＳトランジスタを含むことを特徴とする請求項４に記載のＤＣ−ＤＣコンバータ。
【請求項７】
前記制御モジュールは、
前記ＰＷＭ信号を生成するＰＷＭ信号生成部と、
前記センシング部の感知結果に基づき、前記ＰＷＭ信号を前記第１スイッチング部および前記第２スイッチング部の制御信号として供給するスイッチング制御部とを含むことを特徴とする請求項４に記載のＤＣ−ＤＣコンバータ。
【請求項８】
前記センシング部は、
前記第２ノードと前記出力ノードとを連結または遮断するシャットダウンスイッチと、
前記シャットダウンスイッチを流れる前記駆動電流を感知電圧に変換して出力する感知電圧出力部とを含むことを特徴とする請求項７に記載のＤＣ−ＤＣコンバータ。
【請求項９】
前記スイッチング制御部は、
前記感知電圧と基準電圧とを比較する少なくとも１つの比較部と、
前記少なくとも１つの比較部の出力に基づき、前記複数のスイッチのうち対応するスイッチに前記ＰＷＭ信号を提供する制御信号供給部とを含むことを特徴とする請求項８に記載のＤＣ−ＤＣコンバータ。
【請求項１０】
前記少なくとも１つの比較部は、
前記感知電圧が対応する基準電圧より大きいか等しい場合、ハイ信号を出力することを特徴とする請求項９に記載のＤＣ−ＤＣコンバータ。
【請求項１１】
前記スイッチングモジュールは、
前記入力電圧が入力される入力ノードと第１ノードとの間に位置し、電流経路を形成または遮断する第１スイッチング部と、前記第１ノードと接地との間に位置するインダクタと、前記第１ノードと第２ノードとの間に位置し、電流経路を形成または遮断する第２スイッチング部とを含み、
前記センシング部は、
前記第２ノードと出力ノードとの間に位置し、前記駆動電流を感知し、
前記制御モジュールは、
前記センシング部の感知結果に基づき、前記第１スイッチング部および前記第２スイッチング部の少なくとも１つのターンオン抵抗値を制御することを特徴とする請求項１に記載のＤＣ−ＤＣコンバータ。
【請求項１２】
前記制御モジュールは、
前記駆動電流が増加すると、前記第１スイッチング部および前記第２スイッチング部の少なくとも１つのターンオン抵抗値を減少させることを特徴とする請求項１１に記載のＤＣ−ＤＣコンバータ。
【請求項１３】
前記第１スイッチング部および前記第２スイッチング部の少なくとも１つは、並列連結された複数のスイッチを含むことを特徴とする請求項１１に記載のＤＣ−ＤＣコンバータ。
【請求項１４】
前記制御モジュールは、
前記感知結果に基づき、前記複数のスイッチのうちターンオンされるスイッチの個数を制御することを特徴とする請求項１３に記載のＤＣ−ＤＣコンバータ。
【請求項１５】
前記第１スイッチング部は、並列連結された複数のＰＭＯＳトランジスタを含み、
前記第２スイッチング部は、並列連結された複数のＮＭＯＳトランジスタを含むことを特徴とする請求項１３に記載のＤＣ−ＤＣコンバータ。
【請求項１６】
前記制御モジュールは、
前記ＰＷＭ信号を生成するＰＷＭ信号生成部と、
前記センシング部の感知結果に基づき、前記ＰＷＭ信号を前記第１スイッチング部および前記第２スイッチング部の制御信号として供給するスイッチング制御部とを含むことを特徴とする請求項１３に記載のＤＣ−ＤＣコンバータ。
【請求項１７】
前記センシング部は、
前記第２ノードと前記出力ノードとを連結または遮断するシャットダウンスイッチと、
前記シャットダウンスイッチを流れる前記駆動電流を感知電圧に変換して出力する感知電圧出力部とを含むことを特徴とする請求項１６に記載のＤＣ−ＤＣコンバータ。
【請求項１８】
前記スイッチング制御部は、
前記感知電圧と基準電圧とを比較する少なくとも１つの比較部と、
前記少なくとも１つの比較部の出力に基づき、前記複数のスイッチのうち対応するスイッチに前記ＰＷＭ信号を提供する制御信号供給部とを含むことを特徴とする請求項１７に記載のＤＣ−ＤＣコンバータ。
【請求項１９】
前記少なくとも１つの比較部は、
前記感知電圧が対応する基準電圧より大きいか等しい場合、ハイ信号を出力することを特徴とする請求項１８に記載のＤＣ−ＤＣコンバータ。
【請求項２０】
複数の画素を具備し、前記各画素の有機発光ダイオードの輝度に応じて階調が表示される表示パネルと、
前記表示パネルにデータを表示するタイミング制御部と、
入力電圧を受け、前記有機発光ダイオードに電流を供給するための第１電圧および第２電圧を生成して前記表示パネルに提供するＤＣ−ＤＣコンバータとを含み、
前記ＤＣ−ＤＣコンバータは、
前記入力電圧を前記第１電圧に変換して出力する第１コンバータと、前記入力電圧を前記第２電圧に変換して出力する第２コンバータと、前記表示パネルに供給される駆動電流を感知するセンシング部とを含み、
前記第１コンバータは、
第１パルス幅変調（ＰＷＭ）信号に応答してオンオフされる複数のスイッチのスイッチング動作により、入力電圧を第１電圧に変換して前記表示パネルに出力する第１スイッチングモジュールと、前記第１ＰＷＭ信号を生成して前記第１スイッチングモジュールを制御する第１制御モジュールとを含み、
前記第２コンバータは、
第２パルス幅変調（ＰＷＭ）信号に応答してオンオフされる複数のスイッチのスイッチング動作により、入力電圧を第２電圧に変換して前記表示パネルに出力する第２スイッチングモジュールと、
前記第２ＰＷＭ信号を生成して前記第２スイッチングモジュールを制御する第２制御モジュールとを含み、
前記第１制御モジュールおよび前記第２制御モジュールはそれぞれ、前記センシング部の感知結果に基づき、前記第１スイッチングモジュールおよび前記第２スイッチングモジュールのターンオン抵抗値を適応的に制御するように構成されたことを特徴とする有機電界発光表示装置。
【請求項２１】
前記第１スイッチングモジュールは、
前記入力電圧を受信するための入力ノードと第１ノードとの間に位置する第１インダクタと、前記第１ノードと接地との間に位置し、電流経路を形成または遮断する第１スイッチング部と、前記第１ノードと第２ノードとの間に位置し、電流経路を形成または遮断する第２スイッチング部とを含み、
前記センシング部は、
前記第２ノードと前記第１電圧を出力するための第１出力ノードとの間に位置し、前記駆動電流を感知し、
前記第１制御モジュールは、
前記センシング部の感知結果に基づき、前記第１スイッチング部および前記第２スイッチング部の少なくとも１つのターンオン抵抗値を制御し、
前記第２スイッチングモジュールは、
前記入力ノードと第３ノードとの間に位置し、電流経路を形成または遮断する第３スイッチング部と、前記第３ノードと接地との間に位置する第２インダクタと、前記第３ノードと前記第２電圧を出力する第２出力ノードとの間に位置し、電流経路を形成または遮断する第４スイッチング部とを含み、
前記第２制御モジュールは、
前記センシング部の感知結果に基づき、前記第３スイッチング部および前記第４スイッチング部の少なくとも１つのターンオン抵抗値を制御することを特徴とする請求項２０に記載の有機電界発光表示装置。
【請求項２２】
前記第１制御モジュールは、前記駆動電流が増加すると、前記第１スイッチング部および前記第２スイッチング部の少なくとも１つのターンオン抵抗値を減少させ、
前記第２制御モジュールは、前記駆動電流が増加すると、前記第３スイッチング部および前記第４スイッチング部の少なくとも１つのターンオン抵抗値を減少させることを特徴とする請求項２１に記載の有機電界発光表示装置。
【請求項２３】
前記第１スイッチング部および前記第２スイッチング部の少なくとも１つと、前記第３スイッチング部および第４スイッチング部の少なくとも１つは、並列連結された複数のスイッチを含むことを特徴とする請求項２１に記載の有機電界発光表示装置。
【請求項２４】
前記第１および第２制御モジュールは、
前記駆動電流の感知結果に基づき、対応するスイッチング部の前記複数のスイッチのうちターンオンされるスイッチの個数を制御することを特徴とする請求項２３に記載の有機電界発光表示装置。
【請求項２５】
前記入力ノードと接地との間に位置する第１キャパシタと、
前記第１出力ノードと接地との間に位置する第２キャパシタと、
前記第２出力ノードと接地との間に位置する第３キャパシタとをさらに含むことを特徴とする請求項２１に記載の有機電界発光表示装置。
【請求項２６】
前記第１スイッチングモジュールは、
前記入力電圧を受信するための入力ノードと第１ノードとの間に位置する第１インダクタと、前記第１ノードと接地との間に位置し、電流経路を形成または遮断する第１スイッチング部と、前記第１ノードと前記第１電圧を出力するための第１出力ノードとの間に位置し、電流経路を形成または遮断する第２スイッチング部とを含み、
前記第１制御モジュールは、
前記センシング部の感知結果に基づき、前記第１スイッチング部および前記第２スイッチング部の少なくとも１つのターンオン抵抗値を制御する第１制御部を含み、
前記第２スイッチングモジュールは、
前記入力ノードと第２ノードとの間に位置し、電流経路を形成または遮断する第３スイッチング部と、前記第２ノードと接地との間に位置する第２インダクタと、前記第２ノードと第３ノードとの間に位置し、電流経路を形成または遮断する第４スイッチング部とを含み、
前記センシング部は、
前記第３ノードと前記第２電圧を出力するための第２出力ノードとの間に位置し、前記駆動電流を感知し、
前記第２制御モジュールは、
前記センシング部の感知結果に基づき、前記第３スイッチング部および前記第４スイッチング部の少なくとも１つのターンオン抵抗値を制御する第２制御部を含むことを特徴とする請求項２０に記載の有機電界発光表示装置。
【請求項２７】
前記第１制御モジュールは、前記駆動電流が増加すると、前記第１スイッチング部および前記第２スイッチング部の少なくとも１つのターンオン抵抗値を減少させ、
前記第２制御モジュールは、前記駆動電流が増加すると、前記第３スイッチング部および前記第４スイッチング部の少なくとも１つのターンオン抵抗値を減少させることを特徴とする請求項２６に記載の有機電界発光表示装置。
【請求項２８】
前記第１スイッチング部および前記第２スイッチング部の少なくとも１つと、前記第３スイッチング部および第４スイッチング部の少なくとも１つは、並列連結された複数のスイッチを含むことを特徴とする請求項２６に記載の有機電界発光表示装置。
【請求項２９】
前記第１および第２制御モジュールは、
前記駆動電流の感知結果に基づき、対応するスイッチング部の前記複数のスイッチのうちターンオンされるスイッチの個数を制御することを特徴とする請求項２８に記載の有機電界発光表示装置。
【請求項３０】
前記入力ノードと接地との間に位置する第１キャパシタと、
前記第１出力ノードと接地との間に位置する第２キャパシタと、
前記第２出力ノードと接地との間に位置する第３キャパシタとをさらに含むことを特徴とする請求項２６に記載の有機電界発光表示装置。
【発明の詳細な説明】
【技術分野】
【０００１】
本発明は、ＤＣ−ＤＣコンバータおよびこれを用いた有機電界発光表示装置に関するものであり、より詳細には、負荷条件に応じて適応的に動作し、最適な効率を有するＤＣ−ＤＣコンバータおよびこれを用いた有機電界発光表示装置に関するものである。
【背景技術】
【０００２】
平板表示装置のうち、有機電界発光表示装置は、電子と正孔との結合によって光を発生する有機発光ダイオード（Ｏｒｇａｎｉｃ  Ｌｉｇｈｔ  Ｅｍｉｔｔｉｎｇ  Ｄｉｏｄｅ：ＯＬＥＤ）を用いて画像を表示する。有機発光ダイオードは、アノード（ａｎｏｄｅ）電極、カソード（ｃａｔｈｏｄｅ）電極、およびアノード電極とカソード電極との間に位置する発光層を含み、アノード電極からカソード電極の方向に電流が流れると、光を発光して色を表現することができる。
【先行技術文献】
【特許文献】
【０００３】
【特許文献１】大韓民国特許公開第２００５−００５１０７４号
【特許文献２】大韓民国特許公開第２００９−００５４１６１号
【発明の概要】
【発明が解決しようとする課題】
【０００４】
有機電界発光表示装置は、各画素の有機発光ダイオードに流れる電流の量に応じて発光輝度が決定されるため、高輝度画像の場合、低輝度画像に比べて多くの駆動電流を要求することになる。すなわち、有機電界発光表示装置の画素の駆動に必要な駆動電流は、表示される画像に応じて可変的である。したがって、有機電界発光表示装置の画素を駆動するためのＤＣ−ＤＣコンバータは、消費電力を低減するために、駆動電流の全範囲にわたって高い効率を有するように設計されなければならない。
【０００５】
そこで、本発明は、上記問題に鑑みてなされたものであり、本発明の目的とするところは、負荷条件に応じて適応的に動作し、最適な効率を有するＤＣ−ＤＣコンバータおよびこれを用いた有機電界発光表示装置を提供することにある。
【課題を解決するための手段】
【０００６】
上記課題を解決するために、本発明のある観点によれば、パルス幅変調（ＰＷＭ）信号に応答してオンオフされる複数のスイッチのスイッチング動作により、入力電圧を第１電圧に変換して出力するスイッチングモジュールと、前記第１電圧を受ける負荷に供給される駆動電流を感知するセンシング部と、前記ＰＷＭ信号を生成して前記スイッチングモジュールを制御する制御モジュールとを含み、前記制御モジュールは、前記センシング部の感知結果に基づき、前記スイッチングモジュールのターンオン抵抗値を適応的に制御するように構成されたことを特徴とするＤＣ−ＤＣコンバータが提供される。
【０００７】
また、上記課題を解決するために、本発明の別の観点によれば、複数の画素を具備し、前記各画素の有機発光ダイオードの輝度に応じて階調が表示される表示パネルと、前記表示パネルにデータを表示するタイミング制御部と、入力電圧を受け、前記有機発光ダイオードに電流を供給するための第１電圧および第２電圧を生成して前記表示パネルに提供するＤＣ−ＤＣコンバータとを含み、前記ＤＣ−ＤＣコンバータは、前記入力電圧を前記第１電圧に変換して出力する第１コンバータと、前記入力電圧を前記第２電圧に変換して出力する第２コンバータと、前記表示パネルに供給される駆動電流を感知するセンシング部とを含み、前記第１コンバータは、第１パルス幅変調（ＰＷＭ）信号に応答してオンオフされる複数のスイッチのスイッチング動作により、入力電圧を第１電圧に変換して前記表示パネルに出力する第１スイッチングモジュールと、前記第１ＰＷＭ信号を生成して前記スイッチングモジュールを制御する第１制御モジュールとを含み、前記第２コンバータは、第２パルス幅変調（ＰＷＭ）信号に応答してオンオフされる複数のスイッチのスイッチング動作により、入力電圧を第２電圧に変換して前記表示パネルに出力する第２スイッチングモジュールと、前記第２ＰＷＭ信号を生成して前記第２スイッチングモジュールを制御する第２制御モジュールとを含み、前記第１制御モジュールおよび前記第２制御モジュールはそれぞれ、前記センシング部の感知結果に基づき、前記第１スイッチングモジュールおよび前記第２スイッチングモジュールのターンオン抵抗値を適応的に制御するように構成されたことを特徴とする有機電界発光表示装置が提供される。
【発明の効果】
【０００８】
以上説明したように本発明によれば、負荷条件に応じて適応的に動作し、最適な効率を有するＤＣ−ＤＣコンバータおよびこれを用いた有機電界発光表示装置を提供することができる。
【図面の簡単な説明】
【０００９】
【図１】本発明の一実施形態にかかるＤＣ−ＤＣコンバータを示す図である。
【図２】図１に示されたＤＣ−ＤＣコンバータの一実施形態を示す図である。
【図３】図２に示されたスイッチングモジュールの一実施形態を示す図である。
【図４】図２に示されたＤＣ−ＤＣコンバータの第１スイッチング部および第２スイッチング部がそれぞれ３個のトランジスタスイッチを備える実施形態を示す図である。
【図５】図１に示されたＤＣ−ＤＣコンバータの他の実施形態を示す図である。
【図６】図５に示されたスイッチングモジュールの一実施形態を示す図である。
【図７】図５に示されたＤＣ−ＤＣコンバータの第１スイッチング部および第２スイッチング部がそれぞれ３個のトランジスタスイッチを備える実施形態を示す図である。
【図８】本発明の一実施形態にかかる有機電界発光表示装置を示す図である。
【図９】図８に示されたＤＣ−ＤＣコンバータの一実施形態を示す図である。
【図１０】本発明の他の実施形態にかかる有機電界発光表示装置を示す図である。
【図１１】図１０に示されたＤＣ−ＤＣコンバータの一実施形態を示す図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
本発明の利点および特徴、そして、それらを達成する方法は、添付した図面と共に詳細に後述する実施形態を参照すれば明確になるはずである。しかし、本発明は、以下に開示される実施形態に限定されるものではなく、互いに異なる多様な形態で実現可能であり、以下の説明において、ある部分が他の部分に連結されているとする時、これは、直接的に連結されている場合のみならず、その中間に別の素子を挟んで電気的に連結されている場合も含む。
【００１２】
以下、本発明の実施形態およびこれを説明するための図面を参考にして、本発明の実施形態にかかるＤＣ−ＤＣコンバータおよびこれを用いた有機電界発光表示装置について説明する。
【００１３】
図１は、本発明の一実施形態にかかるＤＣ−ＤＣコンバータ１００を示すブロック図である。
【００１４】
図１を参照すれば、ＤＣ−ＤＣコンバータ１００は、スイッチングモジュール１２０と、センシング部１４０と、制御モジュール１６０とを含む。
【００１５】
スイッチングモジュール１２０は、複数のスイッチを備え、前記複数のスイッチはそれぞれ、対応するパルス幅変調（Ｐｕｌｓｅ  Ｗｉｄｔｈ  Ｍｏｄｕｌａｔｉｏｎ：ＰＷＭ）信号に応答してスイッチングしながら、外部から印加される入力電圧ＶＩＮを第１電圧Ｖ１に変換して出力する。
【００１６】
センシング部１４０は、前記第１電圧Ｖ１を受ける負荷に供給される駆動電流を感知する。例えば、負荷に前記第１電圧Ｖ１が供給されている間に負荷の大きさが変化する場合、すなわち、負荷に供給される駆動電流が変化する場合、センシング部１４０は、これをリアルタイムで感知して前記制御モジュール１６０に知らせる。
【００１７】
制御モジュール１６０は、ＰＷＭ信号を生成して前記スイッチングモジュール１２０を制御するが、前記センシング部１４０の感知結果に基づき、前記スイッチングモジュール１２０のターンオン抵抗値を適応的に制御するように構成される。言い換えれば、前記制御モジュール１６０は、負荷条件に応じて前記スイッチングモジュール１２０のスイッチまたはトランジスタのサイズを適応的に制御するように構成される。
【００１８】
ＤＣ−ＤＣコンバータ１００は、スイッチングレギュレータの一種である。したがって、負荷が小さい場合には、スイッチの寄生容量によるスイッチング損失が大きく、負荷が大きい場合には、駆動電流が大きくなるため、スイッチのターンオン抵抗による伝導損失が大きくなる。前記制御モジュール１６０は、負荷が小さい場合にスイッチング損失を最小化し、負荷が大きい場合に伝導損失を最小化するように前記スイッチングモジュール１２０を制御する。その結果、本発明の一実施形態にかかるＤＣ−ＤＣコンバータ１００は、多様な負荷条件にかかわらず、最適な効率を有することができる。参考として、スイッチの寄生容量は、スイッチの大きさ、すなわち、トランジスタの長さ（Ｌ）と幅（Ｗ）に比例する。したがって、トランジスタのサイズが小さいほど寄生容量が小さいため、小さいサイズのスイッチを複数個利用する場合、寄生容量による損失を低減することができる。ＤＣ−ＤＣコンバータ１００は、入力電圧ＶＩＮを昇圧または減圧して第１電圧Ｖ１を生成することができ、入力電圧ＶＩＮの極性を反転して第１電圧Ｖ１を生成することもできる。前記ＤＣ−ＤＣコンバータ１００の出力端に連結される負荷は、駆動電流の大きさが可変的であり得る。例えば、第１電圧Ｖ１は、有機電界発光表示装置の各画素の有機発光ダイオードのアノード側に印加される電圧ＥＬＶＤＤであるか、または有機発光ダイオードのカソード側に印加される電圧ＥＬＶＳＳであり得る。
【００１９】
図２は、図１に示されたＤＣ−ＤＣコンバータ２００の一実施形態を示す図である。
【００２０】
図２を参照すれば、スイッチングモジュール２２０は、インダクタＬ（またはコイル）と、第１スイッチング部２２２と、第２スイッチング部２２４とを含む。
【００２１】
インダクタＬは、入力電圧ＶＩＮを受信するための入力端子と第１ノードＮＤ１との間に位置する。前記インダクタＬは、入力電圧ＶＩＮによる入力電流の増減に応じて起電力を発生し、入力電流の電圧レベルを昇圧する。
【００２２】
第１スイッチング部２２２は、前記第１ノードＮＤ１と接地との間に位置し、電流経路を形成または遮断する。具体的には、前記第１スイッチング部２２２は、インダクタＬに入力電流が伝達または遮断されるようにして前記インダクタＬで起電力が発生するようにする。
【００２３】
第２スイッチング部２２４は、前記第１ノードＮＤ１と第２ノードＮＤ２との間に位置し、電流経路を形成または遮断する。具体的には、前記第２スイッチング部２２４は、前記インダクタＬを介して伝達される入力電流の流れを伝達または遮断する。前記第１スイッチング部２２２と第２スイッチング部２２４は、交互にオンオフされながら、前記第１電圧Ｖ１を生成して出力することができる。
【００２４】
センシング部２４０は、前記第２ノードＮＤ２と出力ノードＮＤ＿Ｏとの間に位置し、負荷に供給される駆動電流ＩＤを感知する。前記センシング部２４０は、第２ノードＮＤ２と出力ノードＮＤ＿Ｏとを連結または遮断するシャットダウンスイッチＳＷと、前記シャットダウンスイッチＳＷを流れる駆動電流ＩＤを感知し、これを感知電圧Ｖｓｅｎｓｅに変換して出力する感知電圧出力部２４２とを備えることができる。このために、感知電圧出力部２４２は、シャットダウンスイッチＳＷの両端に連結され、シャットダウンスイッチＳＷのターンオン抵抗による電圧降下を検出することができる。シャットダウンスイッチＳＷは、ＤＣ−ＤＣコンバータ２００がシャットダウン（Ｓｈｕｔ  Ｄｏｗｎ）時にオフ状態になり、入力端子ＮＤ＿Ｉと出力端子ＮＤ＿Ｏとの間に形成されるリーク電流パスを遮断する。シャットダウンスイッチＳＷは、制御信号ＣＯＮに応答してオンオフされ、正常動作時にターンオンされ、シャットダウン時にターンオフされる。駆動電流ＩＤを感知するためには抵抗が要求されるが、別の抵抗を追加する場合、これによる損失が追加的に発生するため、シャットダウンスイッチＳＷのターンオン抵抗を利用することが好ましい。
【００２５】
制御モジュール２６０は、前記センシング部２４０の感知結果に基づき、前記第１スイッチング部２２２および前記第２スイッチング部２２４の少なくともいずれか１つのターンオン抵抗値を制御することができる。制御モジュール２６０は、ＰＷＭ信号を生成するＰＷＭ信号生成部２６２と、前記センシング部２４０の感知結果に基づき、前記ＰＷＭ信号を前記第１スイッチング部２２２および前記第２スイッチング部２２４の制御信号として供給するスイッチング制御部２６４とを備えることができる。
【００２６】
ＰＷＭ信号生成部２６２は、所定の周波数を有するＰＷＭ信号を生成してスイッチング制御部２６４に提供する。
【００２７】
ＰＷＭ信号生成部２６２は、シャットダウンスイッチＳＷを制御するための制御信号ＣＯＮを生成することができる。
【００２８】
スイッチング制御部２６４は、第１スイッチング部２２２と第２スイッチング部２２４を交互にオンオフさせるスイッチング動作により、入力電圧ＶＩＮを昇圧して第１電圧Ｖ１を生成および出力する。具体的に説明すると、まず、第１スイッチング部２２２がターンオン、第２スイッチング部２２４がターンオフされる場合、第１ノードＮＤ１は接地され、これにより、インダクタＬに流れる電流が次第に増加し、インダクタＬは所定のエネルギーを蓄積することになる。次に、第１スイッチング部２２２がターンオフ、第２スイッチング部２２４がターンオンされる場合、入力電圧ＶＩＮとインダクタＬに充電されたエネルギーが共に出力ノードＮＤ＿Ｏに伝達されるため、前記入力電圧ＶＩＮより高い第１電圧Ｖ１が出力ノードＮＤ＿Ｏに出力される。
【００２９】
ＤＣ−ＤＣコンバータ２００は、入力電圧ＶＩＮを昇圧して第１電圧Ｖ１を生成するブースト（Ｂｏｏｓｔ）コンバータであり得る。
【００３０】
ＤＣ−ＤＣコンバータ２００は、入力ノードＮＤ＿Ｉと接地との間に位置する第１キャパシタＣ１と、出力ノードＮＤ＿Ｏと接地との間に位置する第２キャパシタＣ２とをさらに含むことができる。本発明の一実施形態にかかるＤＣ−ＤＣコンバータ２００がチップで実現される場合、スイッチングモジュール２２０のインダクタＬ、前記第１キャパシタＣ１および前記第２キャパシタＣ２は、チップの外部で連結されて実現可能である。
【００３１】
図３は、図２に示されたスイッチングモジュール２２０の一実施形態を示す図である。
【００３２】
図３を参照すれば、第１スイッチング部２２２は、並列に連結されたｍ（ｍは２以上の自然数）個のスイッチＭＮ１〜ＭＮｍを含むことができる。前記ｍ個のスイッチＭＮ１〜ＭＮｍのそれぞれは、第１ノードＮＤ１と接地との間に並列に連結されて含まれ、対応する制御信号ＮＳＥＬ［１：ｍ］に応答してオンオフできる。制御信号ＮＳＥＬ［１：ｍ］に応じてターンオンされるスイッチの個数が異なるため、第１スイッチング部２２２のターンオン抵抗値が制御できる。例えば、第１および第２スイッチＭＮ１、ＭＮ２はＰＷＭ信号が印加されてオンオフ動作を行い、第３スイッチＭＮ３はオフ状態を維持することができる。第１スイッチング部２２２のスイッチは、ＮＭＯＳトランジスタであり得る。結果的に、第１スイッチング部２２２の場合、制御信号ＮＳＥＬ［１：ｍ］に応じてスイッチングするＮＭＯＳトランジスタのサイズまたは個数が制御される。
【００３３】
第２スイッチング部２２４は、並列に連結されたｎ（ｎは２以上の自然数）個のスイッチＭＰ１〜ＭＰｎを含むことができる。前記ｎ個のスイッチＭＰ１〜ＭＰｎのそれぞれは、第１ノードＮＤ１と第２ノードＮＤ２との間に並列に連結されて含まれ、対応する制御信号ＰＳＥＬ［１：ｎ］に応答してオンオフできる。制御信号ＰＳＥＬ［１：ｎ］に応じてターンオンされるスイッチの個数が異なるため、結局、第２スイッチング部２２４のターンオン抵抗値が制御できる。例えば、第１スイッチＭＰ１はＰＷＭ信号が印加されてオンオフ動作を行い、第２および第３スイッチＭＰ２、ＭＰ３はオフ状態を維持することができる。第２スイッチング部２２４のスイッチは、ＰＭＯＳトランジスタであり得る。結果的に、第２スイッチング部２２４の場合、制御信号ＰＳＥＬ［１：ｎ］に応じてスイッチングするＰＭＯＳトランジスタのサイズまたは個数が制御される。
【００３４】
第１スイッチング部２２２のスイッチの個数と第２スイッチング部２２４のスイッチの個数は、同一であり得る。この場合、第１スイッチング部２２２のスイッチと第２スイッチング部２２４のスイッチは、互いに対応して動作することができる。例えば、第１スイッチング部２２２の第１および第２スイッチＭＮ１、ＭＮ２がＰＷＭ信号が印加されてオンオフ動作を行い、第１スイッチング部２２２の第３スイッチＭＮ３がオフ状態を維持する場合、第２スイッチング部２２４の第１および第２スイッチＭＰ１、ＭＰ２もＰＷＭ信号が印加されてオンオフ動作を行い、第２スイッチング部２２４の第３スイッチＭＰ３はオフ状態を維持することができる。
【００３５】
図４は、図２に示されたＤＣ−ＤＣコンバータ２００の第１スイッチング部２２２および第２スイッチング部２２４が、それぞれ３個のトランジスタスイッチを備える実施形態を示す図である。
【００３６】
図４を参照すれば、本発明の一実施形態にかかるＤＣ−ＤＣコンバータ４００は、スイッチングモジュール４２０と、センシング部４４０と、制御モジュール４６０とを含む。
【００３７】
スイッチングモジュール４２０は、インダクタＬと、第１スイッチング部４２２と、第２スイッチング部４２４とを含み、第１スイッチング部４２２は、３個のＮＭＯＳトランジスタＭＮ１〜ＭＮ３が第１ノードＮＤ１と接地との間で並列に連結されて含まれる。第２スイッチング部４２４は、３個のＰＭＯＳトランジスタＭＰ１〜ＭＰ３が第１ノードＮＤ１と第２ノードＮＤ２との間で並列に連結されて含まれる。
【００３８】
センシング部４４０は、第２ノードＮＤ２と出力ノードＮＤ＿Ｏとの間に位置し、負荷条件を感知する。具体的には、第２ノードＮＤ２と出力ノードＮＤ＿Ｏとの間に位置するシャットダウンスイッチＳＷと、前記シャットダウンスイッチＳＷの両端の電圧を感知する感知電圧出力部４４２とを含む。シャットダウンスイッチＳＷとしては、ＰＭＯＳトランジスタが使用できる。
【００３９】
制御モジュール４６０は、ＰＷＭ信号生成部４６２と、スイッチング制御部４６４とを含む。
【００４０】
ＰＷＭ信号生成部４６２は、所定の周期とパルス幅を有するＰＷＭ信号を生成する。
【００４１】
スイッチング制御部４６４は、前記センシング部４４０の感知結果に基づき、第１スイッチング部４２２のＮＭＯＳトランジスタＭＮ１〜ＭＮ３と第２スイッチング部４２４のＰＭＯＳトランジスタＭＰ１〜ＭＰ３を制御する。例えば、前記センシング部４４０で感知された感知電圧Ｖｓｅｎｓｅが第１基準電圧Ｖｒｅｆ１より小さいＬｉｇｈｔ  Ｌｏａｄ条件では、第１スイッチング部４２２および第２スイッチング部４２４は、それぞれ１つのスイッチＭＮ１、ＭＰ１のみがＰＷＭ制御され、残りのスイッチＭＮ２、ＭＮ３、ＭＰ２、ＭＰ３はオフ状態を維持することができる。前記センシング部４４０で感知された感知電圧Ｖｓｅｎｓｅが第１基準電圧Ｖｒｅｆ１より大きく、第２基準電圧Ｖｒｅｆ２より小さいＭｅｄｉｕｍ  Ｌｏａｄ条件では、第１スイッチング部４２２および第２スイッチング部４２４は、それぞれ２つのスイッチＭＮ１、ＭＮ２、ＭＰ１、ＭＰ２がＰＷＭ制御され、残りのスイッチＭＮ３、ＭＰ３はオフ状態を維持することができる。前記センシング部４４０で感知された感知電圧Ｖｓｅｎｓｅが第２基準電圧Ｖｒｅｆ２より大きく、第３基準電圧Ｖｒｅｆ３より小さいＨｅａｖｙ  Ｌｏａｄ条件では、第１スイッチング部４２２および第２スイッチング部４２４は、それぞれ３つのスイッチＭＮ１、ＭＮ２、ＭＰ１、ＭＰ２、ＭＮ３、ＭＰ３がＰＷＭ制御できる。前記センシング部４４０で感知された感知電圧Ｖｓｅｎｓｅが第３基準電圧Ｖｒｅｆ３より大きい場合には、負荷側でショートなどの現象が発生したことを意味するもので、第１スイッチング部４２２および第２スイッチング部４２４のすべてのスイッチをオフさせることができる。結果的に、スイッチング制御部４６４は、Ｌｉｇｈｔ  Ｌｏａｄ条件では、第１スイッチング部４２２および第２スイッチング部４２４のターンオン抵抗が最も大きくなるように制御し、Ｈｅａｖｙ  Ｌｏａｄでは、第１スイッチング部４２２および第２スイッチング部４２４のターンオン抵抗が最も小さくなるように制御し、ＤＣ−ＤＣコンバータ４００の損失を最小化する。
【００４２】
スイッチング制御部４６４は、センシング部４４０から出力される感知電圧Ｖｓｅｎｓｅをそれぞれ第１ないし第３基準電圧Ｖｒｅｆ１〜Ｖｒｅｆ３と比較する第１ないし第３比較器を備える比較部４６７と、前記比較部４６７の出力に基づき、第１スイッチング部４２２および第２スイッチング部４２４のスイッチにＰＷＭ信号を提供する制御信号供給部４６６とを含むことができる。
【００４３】
比較部４６７の第１ないし第３比較器はそれぞれ、感知電圧Ｖｓｅｎｓｅが対応する基準電圧より小さい場合にロー信号を出力し、基準電圧より大きいか等しい場合にハイ信号を出力することができる。例えば、感知電圧Ｖｓｅｎｓｅ＜第１基準電圧Ｖｒｅｆ１＜第２基準電圧Ｖｒｅｆ２＜第３基準電圧Ｖｒｅｆ３の関係にある場合、第１ないし第３比較器はすべてロー信号を出力することができる。第１基準電圧Ｖｒｅｆ１≦感知電圧Ｖｓｅｎｓｅ＜第２基準電圧Ｖｒｅｆ２＜第３基準電圧Ｖｒｅｆ３の関係にある場合、第１比較器はハイ信号を出力し、第２および第３比較器はロー信号を出力することができる。第１基準電圧Ｖｒｅｆ１＜第２基準電圧Ｖｒｅｆ２≦感知電圧Ｖｓｅｎｓｅ＜第３基準電圧Ｖｒｅｆ３の関係にある場合、第１および第２比較器はハイ信号を出力し、第３比較器はロー信号を出力することができる。第１基準電圧Ｖｒｅｆ１＜第２基準電圧Ｖｒｅｆ２＜第３基準電圧Ｖｒｅｆ３≦感知電圧Ｖｓｅｎｓｅの関係にある場合、第１ないし第３比較器はすべてハイ信号を出力することができる。
【００４４】
スイッチング制御部４６４は、ソフトスタート４６８をさらに含むことができる。すなわち、スイッチング制御部４６４は、第３比較器がハイ信号を出力する場合、負荷側にショートなどによる不良が存在することを意味することができ、一定電流以上が負荷に流れる場合、ＤＣ−ＤＣコンバータをシャットダウンさせてこれを遮断することができる。
【００４５】
図５は、図１に示されたＤＣ−ＤＣコンバータ１００の他の実施形態を示す図である。
【００４６】
図５を参照すれば、スイッチングモジュール５２０は、第１スイッチング部５２２と、インダクタＬ（またはコイル）と、第２スイッチング部５２４とを含む。第１スイッチング部５２２は、入力電圧ＶＩＮを受信するための入力ノードＮＤ＿Ｉと第１ノードＮＤ１との間に位置し、電流経路を形成または遮断する。インダクタＬは、前記第１ノードＮＤ１と接地との間に位置し、入力電圧ＶＩＮによる入力電流の増減に応じて起電力を発生させる。第２スイッチング部５２４は、前記第１ノードＮＤ１と第２ノードＮＤ２との間に位置し、電流経路を形成または遮断する。
【００４７】
第１スイッチング部５２２は、入力ノードと第１ノードＮＤ１との間に位置し、電流経路を形成または遮断する。具体的には、第１スイッチング部５２２は、インダクタＬに入力電流が伝達または遮断されるようにしてインダクタＬで起電力が発生するようにする。
【００４８】
第２スイッチング部５２４は、前記第１ノードＮＤ１と第２ノードＮＤ２との間に位置し、電流経路を形成または遮断する。具体的には、第２スイッチング部５２４は、入力電流が遮断されながら、インダクタＬに形成された逆起電力を伝達または遮断する。
【００４９】
第１スイッチング部５２２と第２スイッチング部５２４は、交互にオンオフされながら、第１電圧Ｖ１を生成して出力することができる。
【００５０】
センシング部５４０は、前記第２ノードＮＤ２と出力ノードＮＤ＿Ｏとの間に位置し、前記駆動電流ＩＤを感知する。センシング部５４０は、第２ノードＮＤ２と出力ノードＮＤ＿Ｏとを連結または遮断するシャットダウンスイッチＳＷと、前記シャットダウンスイッチＳＷを流れる駆動電流ＩＤを感知電圧Ｖｓｅｎｓｅに変換して出力する感知電圧（Ｖｓｅｎｓｅ）出力部とを備えることができる。このために、感知電圧（Ｖｓｅｎｓｅ）出力部は、シャットダウンスイッチＳＷの両端に連結され、シャットダウンスイッチＳＷのターンオン抵抗による電圧降下を検出することができる。シャットダウンスイッチＳＷは、ＤＣ−ＤＣコンバータ５００がシャットダウン（Ｓｈｕｔ  Ｄｏｗｎ）時にオフ状態になり、入力ノードＮＤ＿Ｉと出力ノードＮＤ＿Ｏとの間に形成されるリーク電流パスを遮断する。シャットダウンスイッチＳＷは、制御信号ＣＯＮに応答してオンオフされ、正常動作時にターンオンされ、シャットダウン時にターンオフされる。センシング部５４０が駆動電流ＩＤを感知するためには抵抗が要求されるが、別の抵抗を追加する場合、これによる損失が追加的に発生するため、シャットダウンスイッチＳＷのターンオン抵抗を駆動電流ＩＤを感知するのに利用することが好ましい。
【００５１】
制御モジュール５６０は、前記センシング部５４０の感知結果に基づき、前記第１スイッチング部５２２および前記第２スイッチング部５２４の少なくともいずれか１つのターンオン抵抗値を制御することができる。
【００５２】
制御モジュール５６０は、ＰＷＭ信号を生成するＰＷＭ信号生成部５６２と、前記センシング部５４０の感知結果に基づき、前記ＰＷＭ信号を前記第１スイッチング部５２２および前記第２スイッチング部５２４の制御信号として供給するスイッチング制御部５６４とを備えることができる。
【００５３】
ＰＷＭ信号生成部５６２は、所定の周波数を有するＰＷＭ信号を生成してスイッチング制御部５６４に提供する。ＰＷＭ信号生成部５６２は、シャットダウンスイッチＳＷを制御するための制御信号を生成することができる。
【００５４】
スイッチング制御部５６４は、第１スイッチング部５２２と第２スイッチング部５２４を交互にオンオフさせるスイッチング動作により、入力電圧ＶＩＮをインバーティングして第１電圧Ｖ１を生成および出力する。具体的に説明すると、まず、第１スイッチング部５２２がターンオン、第２スイッチング部５２４がターンオフされる場合、第１ノードＮＤ１に入力電圧ＶＩＮが印加され、これにより、インダクタＬに流れる電流が次第に増加し、インダクタＬは所定のエネルギーを蓄積することになる。次に、第１スイッチング部５２２がターンオフ、第２スイッチング部５２４がターンオンされる場合、電流の流れが突然切れることにより、インダクタＬに充電されたエネルギーがインダクタＬの両端に逆起電力の形態で現れて出力ノードＮＤ＿Ｏに伝達されるため、前記入力電圧ＶＩＮとは異なる極性を有する第１電圧Ｖ１が出力ノードＮＤ＿Ｏに出力される。
【００５５】
ＤＣ−ＤＣコンバータ５００は、入力電圧ＶＩＮを反転して第１電圧Ｖ１を生成するインバーティングバックブースト（Ｂｕｃｋ  Ｂｏｏｓｔ）コンバータであり得る。
【００５６】
ＤＣ−ＤＣコンバータ５００は、入力ノードＮＤ＿Ｉと接地との間に位置する第１キャパシタＣ１と、出力ノードＮＤ＿Ｏと接地との間に位置する第２キャパシタＣ２とをさらに含むことができる。本発明の一実施形態にかかるＤＣ−ＤＣコンバータ５００がチップで実現される場合、スイッチングモジュール５２０のインダクタＬ、前記第１キャパシタＣ１および前記第２キャパシタＣ２は、チップの外部で連結されて実現可能である。
【００５７】
図６は、図５に示されたスイッチングモジュール５２０の一実施形態を示す図である。
【００５８】
図６を参照すれば、第１スイッチング部５２２は、並列に連結されたｎ（ｎは２以上の自然数）個のスイッチＭＰ１〜ＭＰｎを含むことができる。前記ｎ個のスイッチＭＰ１〜ＭＰｎのそれぞれは、入力ノードＮＤ＿Ｉと第１ノードＮＤ１との間に並列に連結されて含まれ、対応する制御信号に応答してオンオフできる。制御信号ＰＳＥＬ［１：ｎ］に応じてターンオンされるスイッチの個数が異なるため、第１スイッチング部５２２のターンオン抵抗値が制御できる。例えば、第１および第２スイッチＭＰ１、ＭＰ２はＰＷＭ信号が印加されてオンオフ動作を行い、第３スイッチＭＰ３はオフ状態を維持することができる。第１スイッチング部５２２のスイッチは、ＰＭＯＳトランジスタであり得る。結果的に、第１スイッチング部５２２の場合、制御信号に応じてスイッチングするＰＭＯＳトランジスタのサイズまたは個数が制御される。
【００５９】
第２スイッチング部５２４は、並列に連結されたｍ（ｍは２以上の自然数）個のスイッチＭＮ１〜ＭＮｍを含むことができる。前記ｍ個のスイッチＭＮ１〜ＭＮｍのそれぞれは、第１ノードＮＤ１と第２ノードＮＤ２との間に並列に連結されて含まれ、対応する制御信号に応答してオンオフできる。制御信号ＮＳＥＬ［１：ｍ］に応じてターンオンされるスイッチの個数が異なるため、結局、第２スイッチング部５２４のターンオン抵抗値が制御できる。例えば、第１スイッチＭＮ１はＰＷＭ信号が印加されてオンオフ動作を行い、第２および第３スイッチＭＮ２、ＭＮ３はオフ状態を維持することができる。第２スイッチング部５２４のスイッチは、ＮＭＯＳトランジスタであり得る。結果的に、第２スイッチング部５２４の場合、制御信号に応じてスイッチングするＮＭＯＳトランジスタのサイズまたは個数が制御される。
【００６０】
第１スイッチング部５２２のスイッチの個数（ｎ）と第２スイッチング部５２４のスイッチの個数（ｍ）は、同一であり得る。この場合、第１スイッチング部５２２のスイッチＭＰ１〜ＭＰｎと第２スイッチング部５２４のスイッチＭＮ１〜ＭＮｍは、互いに対応して動作することができる。例えば、第１スイッチング部５２２の第１および第２スイッチＭＰ１、ＭＰ２がＰＷＭ信号が印加されてオンオフ動作を行い、第１スイッチング部５２２の第３スイッチＭＰ３がオフ状態を維持する場合、第２スイッチング部５２４の第１および第２スイッチＭＮ１、ＭＮ２もＰＷＭ信号が印加されてオンオフ動作を行い、第２スイッチング部５２４の第３スイッチＭＮ３はオフ状態を維持することができる。
【００６１】
図７は、図５に示されたＤＣ−ＤＣコンバータ５００の第１スイッチング部５２２および第２スイッチング部５２４が、それぞれ３個のトランジスタスイッチを備える実施形態を示す図である。
【００６２】
図７を参照すれば、本発明の一実施形態にかかるＤＣ−ＤＣコンバータ７００は、スイッチングモジュール７２０と、センシング部７４０と、制御モジュール７６０とを含む。
【００６３】
スイッチングモジュール７２０は、第１スイッチング部７２２と、インダクタＬと、第２スイッチング部７２４とを含む。
【００６４】
第１スイッチング部７２２は、３個のＰＭＯＳトランジスタＭＰ１、ＭＰ２、ＭＰ３が入力ノードＮＤ＿Ｉと第１ノードＮＤ１との間で並列に連結されて含まれる。
【００６５】
インダクタＬは、第１ノードＮＤ１と接地との間に位置する。
【００６６】
第２スイッチング部７２４は、３個のＮＭＯＳトランジスタＭＮ１、ＭＮ２、ＭＮ３が第１ノードＮＤ１と第２ノードＮＤ２との間で並列に連結されて含まれる。
【００６７】
センシング部７４０は、第２ノードＮＤ２と出力ノードＮＤ＿Ｏとの間に位置し、負荷条件を感知する。具体的には、第２ノードＮＤ２と出力ノードＮＤ＿Ｏとの間に位置するシャットダウンスイッチＳＷと、前記シャットダウンスイッチＳＷの両端の電圧を感知して感知電圧Ｖｓｅｎｓｅを出力する感知電圧出力部４４２とを含む。シャットダウンスイッチＳＷとしては、ＮＭＯＳトランジスタが使用できる。
【００６８】
制御モジュール７６０は、図４の実施形態の制御モジュール４６０と類似するので、繰り返し説明しない。
【００６９】
図８は、本発明の一実施形態にかかる有機電界発光表示装置を示す図である。
【００７０】
図８を参照すれば、有機電界発光表示装置８００は、表示パネル８２０と、タイミング制御部８４０と、ＤＣ−ＤＣコンバータ８６０とを含む。
【００７１】
表示パネル８２０は、複数の画素を具備し、前記各画素の有機発光ダイオードの輝度に応じて階調が表示される。
【００７２】
タイミング制御部８４０は、前記表示パネル８２０にデータを提供して映像を表示し、前記表示パネル８２０に走査信号およびデータ信号を提供することができる。
【００７３】
ＤＣ−ＤＣコンバータ８６０は、入力電圧ＶＩＮを受け、前記有機発光ダイオードに電流を供給するための第１電圧Ｖ１および第２電圧Ｖ２を生成して前記表示パネル８２０に提供する。前記第１電圧Ｖ１は、表示パネル８２０の画素の有機発光ダイオードのアノード（ａｎｏｄｅ）側に印加される電圧ＥＬＶＤＤであり、前記第２電圧Ｖ２は、前記有機発光ダイオードのカソード（ｃａｔｈｏｄｅ）側に印加される電圧ＥＬＶＳＳである。
【００７４】
ＤＣ−ＤＣコンバータ８６０は、前記入力電圧ＶＩＮを前記第１電圧Ｖ１に変換して出力する第１コンバータ８７０と、前記入力電圧ＶＩＮを前記第２電圧Ｖ２に変換して出力する第２コンバータ８８０と、前記表示パネル８２０に供給される駆動電流ＩＤを感知するセンシング部８９０とを含む。
【００７５】
前記第１コンバータ８７０は、入力電圧ＶＩＮを昇圧して第１電圧Ｖ１を生成し、第２コンバータ８８０は、入力電圧ＶＩＮの極性を反転および減圧して第２電圧Ｖ２を生成する。
【００７６】
第１および第２コンバータ８７０、８８０は、表示パネル８２０が低輝度画像を表示する場合、第１および第２スイッチングモジュール８７２、８８２のスイッチングトランジスタの寄生容量によるスイッチング損失が大きく、表示パネル８２０が高輝度画像を表示する場合、駆動電流ＩＤが大きくなるため、スイッチングトランジスタのターンオン抵抗による伝導損失が大きくなる。したがって、前記第１および第２制御モジュール８７４、８８４は、表示パネル８２０が低輝度画像を表示する場合にスイッチング損失を最小化し、高輝度画像を表示する場合に伝導損失を最小化するように動作する。
【００７７】
その結果、本発明の一実施形態にかかる有機電界発光表示装置８００は、多様な負荷条件にかかわらず、最適な効率を有することができる。
【００７８】
第１コンバータ８７０は、第１スイッチングモジュール８７２と、第１制御モジュール８７４とを備える。
【００７９】
第１スイッチングモジュール８７２は、複数のスイッチを備え、前記複数のスイッチはそれぞれ、対応するパルス幅変調（Ｐｕｌｓｅ  Ｗｉｄｔｈ  Ｍｏｄｕｌａｔｉｏｎ：ＰＷＭ）信号に応答してスイッチングしながら、外部から印加される入力電圧ＶＩＮを第１電圧Ｖ１に変換して出力する。
【００８０】
第１制御モジュール８７４は、ＰＷＭ信号を生成して前記第１スイッチングモジュール８７２を制御するが、前記センシング部８９０の感知結果に基づき、前記第１スイッチングモジュール８７２のターンオン抵抗値を適応的に制御するように構成される。言い換えれば、前記第１制御モジュール８７４は、負荷条件に応じて前記第１スイッチングモジュール８７２のスイッチまたはトランジスタのサイズを適応的に制御するように構成される。
【００８１】
第２コンバータ８８０は、第２スイッチングモジュール８８２と、第２制御モジュール８８４とを備える。
【００８２】
第２スイッチングモジュール８８２は、複数のスイッチを備え、前記複数のスイッチはそれぞれ、対応するパルス幅変調（Ｐｕｌｓｅ  Ｗｉｄｔｈ  Ｍｏｄｕｌａｔｉｏｎ：ＰＷＭ）信号に応答してスイッチングしながら、外部から印加される入力電圧ＶＩＮを第２電圧Ｖ２に変換して出力する。
【００８３】
第２制御モジュール８８４は、ＰＷＭ信号を生成して前記第２スイッチングモジュール８８２を制御するが、前記センシング部８９０の感知結果に基づき、前記第２スイッチングモジュール８８２のターンオン抵抗値を適応的に制御するように構成される。言い換えれば、前記第２制御モジュール８８４は、負荷条件に応じて前記第２スイッチングモジュール８８２のスイッチまたはトランジスタのサイズを適応的に制御するように構成される。
【００８４】
センシング部８９０は、第１コンバータ８７０の出力端、すなわち、第１電圧Ｖ１を出力する第１出力ノードＮＤ＿Ｏ１から表示パネル８２０に供給される駆動電流ＩＤを感知する。例えば、表示パネル８２０に前記第１および第２電圧Ｖ１、Ｖ２が供給されている間に負荷の大きさが変化する場合、すなわち、表示パネル８２０の各画素に供給される駆動電流ＩＤが変化する場合、センシング部８９０は、これをリアルタイムで感知して前記第１および第２制御モジュール８７４、８８４に知らせる。
【００８５】
図９は、図８に示されたＤＣ−ＤＣコンバータ８６０の一実施形態を示す図である。
【００８６】
図９を参照すれば、ＤＣ−ＤＣコンバータ９６０は、第１コンバータ９７０と、第２コンバータ９８０と、センシング部９９０とを備える。
【００８７】
第１コンバータ９７０は、第１スイッチングモジュール９７２と、第１制御モジュール９７４とを備え、第２コンバータ９８０は、第２スイッチングモジュール９８２と、第２制御モジュール９８４とを備える。
【００８８】
第１スイッチングモジュール９７２は、第１インダクタＬ１と、第１スイッチング部９７２＿２と、第２スイッチング部９７２＿４とを備え、第１制御モジュール９７４は、第１ＰＷＭ信号生成部９７４＿２と、第１スイッチング制御部９７４＿４とを備える。なお、第１スイッチング制御部９７４＿４が、「第１制御部」の一例に相当する。
【００８９】
第２スイッチングモジュール９８２は、第３スイッチング部９８２＿２と、第２インダクタＬ２と、第４スイッチング部９８２＿４とを備え、第２制御モジュール９８４は、第２ＰＷＭ信号生成部９８４＿２と、第２スイッチング制御部９８４＿４とを備える。なお、第２スイッチング制御部９８４＿４が、「第２制御部」の一例に相当する。
【００９０】
センシング部９９０は、シャットダウンスイッチＳＷと、前記シャットダウンスイッチＳＷと並列に連結された感知電圧出力部９９２とを備え、第１コンバータ９７０の出力ノードＮＤ＿Ｏ１から表示パネルに供給される電流の量を感知して第１制御モジュール９７４および第２制御モジュール９８４に感知電圧Ｖｓｅｎｓｅを提供する。
【００９１】
第１スイッチングモジュール９７２の一実施形態は、図３に示されたとおりである。
【００９２】
第１制御モジュール９７４の一実施形態は、第１スイッチングモジュール９７２が図４に示されたスイッチングモジュール４２０の構成を取る場合、同図に示された制御モジュール４６０の構成と同様である。
【００９３】
第２スイッチングモジュール９８２は、第３スイッチング部９８２＿２と、第２インダクタＬ２と、第４スイッチング部９８２＿４とを備え、第２制御モジュール９８４は、第２ＰＷＭ信号生成部９８４＿２と、第２スイッチング制御部９８４＿４とを備える。
【００９４】
第２スイッチングモジュール９８２の一実施形態は、図６に示されたとおりである。
【００９５】
第２制御モジュール９８４の一実施形態は、第２スイッチングモジュール９８２が図７に示されたスイッチングモジュール７２０の構成を取る場合、同図に示された制御モジュール７６０の構成と同様である。
【００９６】
図９には、第１および第２スイッチング部９７２＿２、９７２＿４が第１スイッチング制御部９７４＿４によって制御され、第３および第４スイッチング部９８２＿２、９８２＿４が第２スイッチング制御部９８４＿４によって制御されると示されているが、第１ないし第４スイッチング部９７２＿２、９７２＿４、９８２＿２、９８２＿４が１つのスイッチング制御部によって制御されてもよい。
【００９７】
本発明の一実施形態にかかる有機電界発光表示装置８００のＤＣ−ＤＣコンバータ９６０は、入力ノードＮＤ＿Ｉと接地との間に第１キャパシタＣ１と、第１出力ノードＮＤ＿Ｏ１と接地との間に第２キャパシタＣ２と、第２出力ノードＮＤ＿Ｏ２と接地との間に第３キャパシタＣ３とをさらに備えることができる。
【００９８】
ＤＣ−ＤＣコンバータ９６０が半導体チップで実現される場合、第１スイッチングモジュール９７２の第１インダクタＬ１、第２スイッチングモジュール９８２の第２インダクタＬ２、前記第１キャパシタＣ１、前記第２キャパシタＣ２および前記第３キャパシタＣ３は、半導体チップの外部で連結されて実現可能である。
【００９９】
図１０は、本発明の他の実施形態にかかる有機電界発光表示装置１０００を示す図である。
【０１００】
図１０を参照すれば、有機電界発光表示装置１０００は、図８の実施形態と比較すると、ＤＣ−ＤＣコンバータ１０６０のセンシング部１０９０の位置が異なる。図８の実施形態の場合、ＤＣ−ＤＣコンバータ８６０のセンシング部８９０は、第１コンバータ８７０の出力端に位置し、駆動電流ＩＤを感知するのに対し、図１０の実施形態の場合、ＤＣ−ＤＣコンバータ１０６０のセンシング部１０９０は、第２コンバータ１０８０の出力端に位置し、駆動電流ＩＤを感知する。
【０１０１】
図１１は、図１０に示されたＤＣ−ＤＣコンバータ１０６０の一実施形態を示す図である。
【０１０２】
図１１を参照すれば、ＤＣ−ＤＣコンバータ１１６０は、図９の実施形態と比較すると、センシング部１１９０の位置が異なる。すなわち、図９の実施形態の場合、センシング部９９０は、第１コンバータ９７０の出力端に位置し、駆動電流を感知するのに対し、図１１の実施形態の場合、センシング部１１９０は、第２コンバータ１１８０の出力端に位置し、駆動電流を感知する。
【０１０３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０４】
１００、２００  ＤＣ−ＤＣコンバータ
１２０、２２０  スイッチングモジュール
１４０、２４０  センシング部
１６０、２６０  制御モジュール
２２２  第１スイッチング部
２２４  第２スイッチング部
２４２  感知電圧出力部
２６２  ＰＷＭ信号生成部
２６４  スイッチング制御部
【図１】
2014090654.tif 000003
【図２】
2014090654.tif 000004
【図３】
2014090654.tif 000005
【図４】
2014090654.tif 000006
【図５】
2014090654.tif 000007
【図６】
2014090654.tif 000008
【図７】
2014090654.tif 000009
【図８】
2014090654.tif 000010
【図９】
2014090654.tif 000011
【図１０】
2014090654.tif 000012
【図１１】
2014090654.tif 000013